【手続補正書】
【提出日】平成28年11月15日(2016.11.15)
【手続補正１】
【補正対象書類名】特許請求の範囲
【補正対象項目名】全文
【補正方法】変更
【補正の内容】
【特許請求の範囲】
【請求項１】
被識別加工食品の識別を行う加工食品識別装置であって、
識別対象となる被識別加工食品に対して測定用光を照射する光源と、
前記光源より照射された測定用光において前記被識別加工食品を透過した透過光を受光する透過光受光部と、
前記被識別加工食品の識別を行う識別手段と、
を少なくとも備え、
前記識別手段が、
予め参照加工食品の透過光の光量データを元に、前記参照加工食品の第１参照データを作成して保存し、
さらに前記光源から照射され透過光受光部で受光した被識別加工食品の透過光の光量データを元に、前記被識別加工食品の第１測定データを作成し、
前記参照加工食品の第１参照データと前記被識別加工食品の第１測定データに基づいて、前記被識別加工食品の識別を行うことを特徴とする加工食品識別装置。
【請求項２】
前記識別手段が、
予め複数種類の参照加工食品の透過光の光量データを元に、前記複数種類の参照加工食品の第１参照データを作成して保存し、
さらに被識別加工食品の透過光の光量データを元に、前記被識別加工食品の第１測定データを作成し、
前記複数種類の参照加工食品の第１参照データに、得られた前記被識別加工食品の第１測定データを当て嵌め、
前記被識別加工食品の第１測定データが、前記複数種類の参照加工食品の第１参照データに基づいて定められた、前記複数種類の参照加工食品のそれぞれの真とみなす所定範囲内に入る場合には、前記被識別加工食品が前記複数種類の参照加工食品のいずれであるか特定し、
前記被識別加工食品の第１測定データが、前記複数種類の参照加工食品の第１参照データに基づいて定められた、前記複数種類の参照加工食品のそれぞれの真とみなす所定範囲内に入らない場合には、前記被識別加工食品が複数種類の参照加工食品のいずれにも該当しないと判別することを特徴とする請求項１に記載の加工食品識別装置。
【請求項３】
前記識別手段が、
予め前記参照加工食品の透過光の光量データを元に、前記参照加工食品の第１参照データを作成して保存し、
さらに前記被識別加工食品の透過光の光量データを元に、前記被識別加工食品の第１測定データを作成し、
前記参照加工食品の第１参照データと、得られた前記被識別加工食品の第１測定データと、を対比させ、
前記被識別加工食品の第１測定データが、前記参照加工食品の第１参照データに基づいて定められた、前記参照加工食品の真とみなす所定範囲内に入る場合には、前記被識別加工食品が、前記参照加工食品と同一であると判別し、
前記被識別加工食品の第１測定データが、前記参照加工食品の第１参照データに基づいて定められた、前記参照加工食品の真とみなす所定範囲内に入らない場合には、前記被識別加工食品が、前記参照加工食品と異なると判別することを特徴とする請求項１に記載の加工食品識別装置。
【請求項４】
前記被識別加工食品に反射した反射光を受光する反射光受光部を備え、
前記識別手段が、
予め参照加工食品の反射光の光量データを元に、前記参照加工食品の第２参照データを作成して保存し、
さらに前記光源から照射され反射光受光部で受光した被識別加工食品の反射光の光量データを元に、前記被識別加工食品の第２測定データを作成し、
前記参照加工食品の第２参照データと前記被識別加工食品の第２測定データに基づいて、前記被識別加工食品の識別を行うことを特徴とする請求項１〜３のいずれかに記載の加工食品識別装置。
【請求項５】
前記識別手段が、
予め複数種類の参照加工食品の反射光の光量データを元に、前記複数種類の参照加工食品の第２参照データを作成して保存し、
さらに被識別加工食品の反射光の光量データを元に、前記被識別加工食品の第２測定データを作成し、
前記複数種類の参照加工食品の第２参照データに、得られた前記被識別加工食品の第２測定データを当て嵌め、
前記被識別加工食品の第２測定データが、前記複数種類の参照加工食品の第２参照データに基づいて定められた、前記複数種類の参照加工食品のそれぞれの真とみなす所定範囲内に入る場合には、前記被識別加工食品が前記複数種類の参照加工食品のいずれであるか特定し、
前記被識別加工食品の第２測定データが、前記複数種類の参照加工食品の第２参照データに基づいて定められた、前記複数種類の参照加工食品のそれぞれの真とみなす所定範囲内に入らない場合には、前記被識別加工食品が複数種類の参照加工食品のいずれにも該当しないと判別することを特徴とする請求項４に記載の加工食品識別装置。
【請求項６】
前記識別手段が、
予め前記参照加工食品の反射光の光量データを元に、前記参照加工食品の第２参照データを作成して保存し、
さらに前記被識別加工食品の反射光の光量データを元に、前記被識別加工食品の第２測定データを作成し、
前記参照加工食品の第２参照データと、得られた前記被識別加工食品の第２測定データと、を対比させ、
前記被識別加工食品の第２測定データが、前記参照加工食品の第２参照データに基づいて定められた、前記参照加工食品の真とみなす所定範囲内に入る場合には、前記被識別加工食品が、前記参照加工食品と同一であると判別し、
前記被識別加工食品の第２測定データが、前記参照加工食品の第２参照データに基づいて定められた、前記参照加工食品の真とみなす所定範囲内に入らない場合には、前記被識別加工食品が、前記参照加工食品と異なると判別することを特徴とする請求項４に記載の加工食品識別装置。
【請求項７】
前記光源より照射される測定用光の波長が、４００〜１７００ｎｍの範囲内であることを特徴とする請求項１〜６のいずれかに記載の加工食品識別装置。
【請求項８】
前記光源が、
ハロゲンランプ，または識別に必要な特定波長のＬＥＤまたはＬＥＤアレイのいずれかであることを特徴とする請求項１〜７のいずれかに記載の加工食品識別装置。
【請求項９】
前記被識別加工食品および参照加工食品が、光透過性の包装材で包装されていることを特徴とする請求項１〜８のいずれかに記載の加工食品識別装置。
【請求項１０】
前記被識別加工食品および参照加工食品が、
ベルトコンベアを備えてなる搬送ライン上に載置されて連続的に搬送されることを特徴とする請求項１〜９のいずれかに記載の加工食品識別装置。
【請求項１１】
前記搬送ラインの上流から下流に向けて搬送される前記参照加工食品および被識別加工食品に対し、前記上流から下流に向けて所定の間隔毎に透過光の光量データおよび／または反射光の光量データを取得し、
前記所定の間隔毎に対応する前記透過光の光量データおよび／または反射光の光量データから、前記参照加工食品および被識別加工食品の所定の間隔毎の中身の位置および／または中身の量を特定するよう構成されていることを特徴とする請求項１０に記載の加工食品識別装置。
【請求項１２】
被識別加工食品の識別を行う加工食品識別方法であって、
識別対象となる被識別加工食品に対して光源より測定用光を照射する工程と、
前記光源より照射された測定用光において前記被識別加工食品を透過した透過光を透過光受光部で受光する工程と、
前記被識別加工食品の識別を行う工程と、
を少なくとも有し、
前記識別を行う工程が、
識別手段に、予め参照加工食品の透過光の光量データを元に、前記参照加工食品の第１参照データを作成して保存し、
さらに前記光源から照射され透過光受光部で受光した被識別加工食品の透過光の光量データを元に、前記被識別加工食品の第１測定データを作成し、
前記参照加工食品の第１参照データと前記被識別加工食品の第１測定データに基づいて、前記被識別加工食品の識別を行うことを特徴とする加工食品識別方法。
【請求項１３】
前記識別を行う工程が、
予め複数種類の参照加工食品の透過光の光量データを元に、前記複数種類の参照加工食品の第１参照データを作成して保存し、
さらに被識別加工食品の透過光の光量データを元に、前記被識別加工食品の第１測定データを作成し、
前記複数種類の参照加工食品の第１参照データに、得られた前記被識別加工食品の第１測定データを当て嵌め、
前記被識別加工食品の第１測定データが、前記複数種類の参照加工食品の第１参照データに基づいて定められた、前記複数種類の参照加工食品のそれぞれの真とみなす所定範囲内に入る場合には、前記被識別加工食品が前記複数種類の参照加工食品のいずれであるか特定し、
前記被識別加工食品の第１測定データが、前記複数種類の参照加工食品の第１参照データに基づいて定められた、前記複数種類の参照加工食品のそれぞれの真とみなす所定範囲内に入らない場合には、前記被識別加工食品が複数種類の参照加工食品のいずれにも該当しないと判別することを特徴とする請求項１２に記載の加工食品識別方法。
【請求項１４】
前記識別を行う工程が、
予め前記参照加工食品の透過光の光量データを元に、前記参照加工食品の第１参照データを作成して保存し、
さらに前記被識別加工食品の透過光の光量データを元に、前記被識別加工食品の第１測定データを作成し、
前記参照加工食品の第１参照データと、得られた前記被識別加工食品の第１測定データと、を対比させ、
前記被識別加工食品の第１測定データが、前記参照加工食品の第１参照データに基づいて定められた、前記参照加工食品の真とみなす所定範囲内に入る場合には、前記被識別加工食品が、前記参照加工食品と同一であると判別し、
前記被識別加工食品の第１測定データが、前記参照加工食品の第１参照データに基づいて定められた、前記参照加工食品の真とみなす所定範囲内に入らない場合には、前記被識別加工食品が、前記参照加工食品と異なると判別することを特徴とする請求項１２に記載の加工食品識別方法。
【請求項１５】
前記被識別加工食品を反射した反射光を反射光受光部で受光する工程を有し、
前記識別を行う工程が、
予め前記参照加工食品の反射光の光量データを元に、前記参照加工食品の第２参照データを作成して保存し、
さらに前記光源から照射され反射光受光部で受光した被識別加工食品の反射光の光量データを元に、前記被識別加工食品の第２測定データを作成し、
前記参照加工食品の第２参照データと前記被識別加工食品の第２測定データに基づいて、前記被識別加工食品の識別を行うことを特徴とする請求項１２〜１４のいずれかに記載の加工食品識別方法。
【請求項１６】
前記識別を行う工程が、
予め複数種類の参照加工食品の反射光の光量データを元に、前記複数種類の参照加工食品の第２参照データを作成して保存し、
さらに被識別加工食品の反射光の光量データを元に、前記被識別加工食品の第２測定データを作成し、
前記複数種類の参照加工食品の第２参照データに、得られた前記被識別加工食品の第２測定データを当て嵌め、
前記被識別加工食品の第２測定データが、前記複数種類の参照加工食品の第２参照データに基づいて定められた、前記複数種類の参照加工食品のそれぞれの真とみなす所定範囲内に入る場合には、前記被識別加工食品が前記複数種類の参照加工食品のいずれであるか特定し、
前記被識別加工食品の第２測定データが、前記複数種類の参照加工食品の第２参照データに基づいて定められた、前記複数種類の参照加工食品のそれぞれの真とみなす所定範囲内に入らない場合には、前記被識別加工食品が複数種類の参照加工食品のいずれにも該当しないと判別することを特徴とする請求項１５に記載の加工食品識別方法。
【請求項１７】
前記識別を行う工程が、
予め前記参照加工食品の反射光の光量データを元に、前記参照加工食品の第２参照データを作成して保存し、
さらに前記被識別加工食品の反射光の光量データを元に、前記被識別加工食品の第２測定データを作成し、
前記参照加工食品の第２参照データと、得られた前記被識別加工食品の第２測定データと、を対比させ、
前記被識別加工食品の第２測定データが、前記参照加工食品の第２参照データに基づいて定められた、前記参照加工食品の真とみなす所定範囲内に入る場合には、前記被識別加工食品が、前記参照加工食品と同一であると判別し、
前記被識別加工食品の第２測定データが、前記参照加工食品の第２参照データに基づいて定められた、前記参照加工食品の真とみなす所定範囲内に入らない場合には、前記被識別加工食品が、前記参照加工食品と異なると判別することを特徴とする請求項１５に記載の加工食品識別方法。
【請求項１８】
前記光源より照射される測定用光の波長が、４００〜１７００ｎｍの範囲内であることを特徴とする請求項１２〜１７のいずれかに記載の加工食品識別方法。
【請求項１９】
前記光源が、
ハロゲンランプ，または識別に必要な特定波長のＬＥＤまたはＬＥＤアレイのいずれかであることを特徴とする請求項１２〜１８のいずれかに記載の加工食品識別方法。
【請求項２０】
前記被識別加工食品および参照加工食品が、光透過性の包装材で包装されていることを特徴とする請求項１２〜１９のいずれかに記載の加工食品識別方法。
【請求項２１】
前記被識別加工食品および参照加工食品が、
ベルトコンベアを備えてなる搬送ライン上に載置されて連続的に搬送されることを特徴とする請求項１２〜２０のいずれかに記載の加工食品識別方法。
【請求項２２】
前記搬送ラインの上流から下流に向けて搬送される前記参照加工食品および被識別加工食品に対し、前記上流から下流に向けて所定の間隔毎に透過光の光量データおよび／または反射光の光量データを取得し、
前記所定の間隔毎に対応する前記透過光の光量データおよび／または反射光の光量データから、前記参照加工食品および被識別加工食品の所定の間隔毎の中身の位置および／または中身の量を特定することを特徴とする請求項２１に記載の加工食品識別方法。
【手続補正２】
【補正対象書類名】明細書
【補正対象項目名】００２９
【補正方法】変更
【補正の内容】
【００２９】
また、本発明の加工食品識別装置および加工食品識別方法は、
前記被識別加工食品および参照加工食品が、光透過性の包装材で包装されていることを特徴とする。
このような被識別加工食品および参照加工食品は、包装されていても包装されていなくても、識別を行うことができるが、本発明の加工食品識別装置および加工食品識別方法では、少なくとも透過光の光量データを利用するため、包装材で包装されている場合には、包装材が光透過性の包装材（光透過性包装材）である必要がある。例えばアルミ製包装材のように、光を透過しない包装材では透過光の光量データを得ることができない。
【手続補正３】
【補正対象書類名】明細書
【補正対象項目名】００３０
【補正方法】削除
【補正の内容】
【手続補正４】
【補正対象書類名】明細書
【補正対象項目名】００３１
【補正方法】削除
【補正の内容】